(57)【要約】【課題】太陽光による輻射熱を可及的に遮断することができるとゝもに、輻射熱の蓄積がない屋根の葺き替え構造を提供することにある。【解決手段】既設の屋根Ａの上に新たな屋根Ｂを積層状態に葺設する屋根の葺き替え構造であって、前記既設の屋根の軒先及び隅棟に沿って設置したヌキ材１２Ａ，１２Ｂと断熱ボード１３とにより前記既設の屋根の上に新たな屋根材２５を葺設してなり、前記断熱ボードは、断熱ボード本体１４とその上面を被覆したシート１５との間に前記断熱ボードの上下両端面側にそれぞれ開口部１６Ａ，１６Ｂを有する複数条の連通孔１６を備えた屋根の葺き替え構造。【選択図】　　　　図１
2004036314.tif 000002
【特許請求の範囲】
【請求項１】
既設の屋根を解体することなくその上に新たな屋根を積層状態に葺設する屋根の葺き替え構造であって、前記既設の屋根の軒先及び隅棟に沿ってヌキ材を又残余の部分に断熱ボードをそれぞれ設置して前記既設の屋根の全面を被覆するとゝもに、前記ヌキ材及び断熱ボードの上に新たな屋根材を葺設してなり、前記断熱ボードは、断熱ボード本体とその上面を被覆したシートとから構成され、且つ前記断熱ボード本体とシートとの間に前記断熱ボードの上下両端面側にそれぞれ開口部を有する複数条の連通孔を備えたことを特徴とする屋根の葺き替え構造。
【請求項２】
前記シートが熱反射特性及び又は非透水特性を有する材料で形成したものであることを特徴とする請求項１記載の屋根の葺き替え構造。
【請求項３】
前記断熱ボードの少なくとも上下両端面に一対の合じゃくり部を設け、該合じゃくり部を重ね合わせることによって前記断熱ボードを上下方向に接合する構成としたことを特徴とする請求項１又は２記載の屋根の葺き替え構造。
【請求項４】
前記断熱ボードが、左右両側端側に配設した複数枚の断熱ボード本体を前記シートの延長部からなる連結シート部を介して連結され、該連結シート部を屈曲させることにより折り畳み且つ展開可能な構成としたことを特徴とする請求項１〜３のうちいずれか一つに記載の屋根の葺き替え構造。
【請求項５】
軒先に前記既設の屋根を構成する唐草を覆う新たな唐草を設置したことを特徴とする請求項１〜４のうちいずれか一つに記載の屋根の葺き替え構造。
【請求項６】
前記既設の屋根を構成するケラバ包みを除去した隅棟に新たなケラバ包みを設置し、該ケラバ包み内に前記既設の屋根の隅棟に沿って設置したヌキ材の上面及び外側面と、前記屋根材の側端部に形成した起立部を覆う状態で設置したことを特徴とする請求項１〜５のうちいずれか一つに記載の屋根の葺き替え構造。
【発明の詳細な説明】
【０００１】
【発明の属する技術分野】
本発明は、既設の古くなった屋根を解体することなく、その上に新たな屋根材を積層状態に葺設する屋根の葺き替え構造に関する。
【０００２】
【従来の技術】
一般に、古くなった屋根を葺き替える場合は、既設の屋根材，ルーフィング，唐草及びケラバ包み等の屋根構成部材を順に解体するが、解体作業には多大な時間と労力を要するのみならず、前記屋根材が石綿板の場合には解体作業時に人体に有害なアスベスト粉塵が飛散し、周囲に公害を及ぼすという問題があった。
【０００３】
このような問題点に鑑み、本出願人は先に実用新案登録第２５４１４２９号公報に開示した屋根の葺き替え構造を提案した。この屋根の葺き替え構造は、既設の屋根の軒先及び隅棟に沿ってヌキ材をそれぞれ配設するとゝもに、残余の部分に野地板を配設することによって既設屋根材の全面を被覆し、これらヌキ材及び野地板の上に敷設したルーフィングを介して新たな屋根材を葺設する構成としたものである。
【０００４】
上記構成からなる屋根の葺き替え構造によれば、既設の屋根の解体作業を省略することができるとゝもに、前記屋根材が石綿板であってもアスベスト粉塵の飛散を防止することができ、さらに葺き替え後の屋根全体が二重構造となって断熱性，防音性及び防水性が向上するという効果があった。
【０００５】
【発明が解決しようとする課題】
上記のように、前記実用新案登録第２５４１４２９号に係る屋根の葺き替え構造は、屋根全体が二重構造となるとゝもに、既設の屋根と新設の屋根との間には空気層が形成されるため断熱性において優れたものとなる。しかし、真夏日にあっては屋根材の表面温度が８０°Ｃを越える場合があり、新たな屋根材の下に設置した野地板，既設の古い屋根材及び野地板が輻射熱により温められて蓄熱し、これらに蓄積された熱が伝導，輻射によって室内に伝わってしまうといった問題点があり、未だ改良の余地が残っていた。
【０００６】
本発明は、上記事情に鑑みてなされたものであり、古くなった既設の屋根の解体作業を省略して葺き替え作業に要する手間と時間を大幅に削減することができるとゝもに、従来の野地板に替えて特異構造とした断熱ボードを使用することにより、太陽光による輻射熱を可及的に遮断することができるとゝもに輻射熱の蓄積がない屋根の葺き替え構造を提供することを目的としたものである。
【０００７】
【課題を解決するための手段】
上記の目的を達成するために、本願の第１発明に係る屋根の葺き替え構造は、既設の屋根を解体することなくその上に新たな屋根を積層状態に葺設する屋根の葺き替え構造であって、前記既設の屋根の軒先及び隅棟に沿ってヌキ材を又残余の部分に断熱ボードをそれぞれ設置して前記既設の屋根の全面を被覆するとゝもに、前記ヌキ材及び断熱ボードの上に新たな屋根材を葺設してなり、前記断熱ボードは、断熱ボード本体とその上面を被覆したシートとから構成され、且つ前記断熱ボード本体とシートとの間に前記断熱ボードの上下両端面側にそれぞれ開口部を有する複数条の連通孔を備えた構成とした。
【０００８】
上記の構成とすることにより、太陽光による輻射熱は前記断熱ボードにより遮断されてその下部への熱伝導が阻止されるとゝもに、断熱ボードに形成した連通孔内の下端開口部から上端開口部へ抜ける空気の対流によって前記輻射熱が屋根の外に排出される。したがって、断熱ボードに太陽光による輻射熱が蓄積されることもなく、屋根内部の高温化が防止される。
【０００９】
また上記の目的を達成するために、本願の第２発明に係る屋根の葺き替え構造は、前記シートが熱反射特性及び又は非透水特性を有する材料で形成した構成とする。このように、断熱ボードの上面に設置した前記シートを熱反射特性を有する材料で形成した場合には太陽光による輻射熱はこのシートで反射され、断熱ボードへの蓄熱が防止される。また、前記シートを非透水特性を有する材料で形成した場合には、防水のためのルーフィングの張設を省略することができるとゝもに、前記シートを熱反射特性及び非透水特性を有する材料で形成した場合には断熱ボードへの蓄熱の防止と、防水のためのルーフィングの張設を省略することができる。
【００１０】
そして又、本願の第３発明に係る屋根の葺き替え構造は、前記断熱ボードの少なくとも上下両端面に一対の合じゃくり部を設け、該合じゃくり部を重ね合わせることによって前記断熱ボードを上下方向に接合する構成とした。これにより、断熱ボードの上下方向（軒先から棟方向）への接合作業が容易であるとゝもに、両断熱ボード間の接合部における断熱効果を損なうことない。
【００１１】
更に、本願の第４発明に係る屋根の葺き替え構造は、前記断熱ボードが、左右両側端側に配設した複数枚の断熱ボード単体を前記シートの延長部からなる連結シート部を介して連結され、該連結シート部を屈曲させることにより折り畳み且つ展開可能な構成とした。これにより、運搬或いは収納時には小さく折り畳み、施工時にはこれを展開することにより敷設することができ、搬送及び施工の容易化が図られる。
【００１２】
そして更に、本願の第５発明に係る屋根の葺き替え構造は、軒先に前記既設の屋根を構成する唐草を覆う新たな唐草を設置し、又本願の第６発明にあっては、前記既設の屋根を構成するケラバ包みを除去した隅棟に新たなケラバ包みを設置し、該ケラバ包内に前記新たな屋根材の側端部に形成した起立部を覆う状態で設置した構成とした。これにより、屋根の葺き替え後における良好な雨仕舞いと、すっきりとした外観に仕上げることができる。
【００１３】
【発明の実施の形態】
以下、本発明を図面に示す実施形態を参照して詳細に説明する。図において、Ａは葺き替えの対象となる古くなった既設の屋根で、１は垂木、２はこの垂木１の上にあって屋根Ａの軒先と隅棟に沿ってそれぞれ設置した木製のヌキ材、３はその他の残余の部分に設置した木製の野地板、４は前記ヌキ材２及び野地板３の上に張設したルーフィング、５は石綿材等からなる屋根材、６は金属板を折曲げ加工して形成した唐草である。なお、図では隅棟に設置したケラバ包み（図示せず）は既に取り外してある。
【００１４】
Ｂは前記既設の屋根Ａの上に設置する新たな屋根で、１２Ａ及び１２Ｂは既設の屋根Ａの軒先及び隅棟に沿ってそれぞれ設置した木製のヌキ材、１３は残余の部分に設置した断熱ボード、２４は前記ヌキ材１２Ａ，１２Ｂ及び断熱ボード１３の上に張設したルーフィング、２５は金属製の屋根材、２６は軒先に設置した唐草であり、２７は隅棟に設置したケラバ包み、２８は下地木材である。
【００１５】
前記断熱ボード１３は、発泡ポリスチレンや硬質ウレタンなどで形成した縦長方形状の断熱ボード本体１４と、その上面を被覆したアルミ箔或いはポリスチレンフィルム等のシート１５とから構成されており、前記断熱ボード本体１４とシート１５との間には上下方向に延びる複数本の連通孔１６が後述する手段により等間隔で且つ並列状態で形成されている。
【００１６】
すなわち、前記連通孔１６は、前記断熱ボード本体１４の上面に形成した上下方向に延びる凹条溝１７と、断熱ボード本体１４の上面を被覆した前記シート１５とで形成されており、前記断熱ボード１３の上部端面１３Ａ側には前記凹条溝１７とシート１５で形成される連通孔１６の上部開口部１６Ａが、下部端面１３Ｂ側には同じく前記連通孔１６の下部開口部１６Ｂがそれぞれ開口している。
【００１７】
また前記断熱ボード１３には、その上部端面１３Ａ側に上部合じゃくり部１８Ａが、下部端面１３Ｂ側に下部合じゃくり部１８Ｂがそれぞれ形成されており、前記上部合じゃくり部１８Ａは前記断熱ボード１３の上面側に段部を、又下部合じゃくり部１８Ｂは前記断熱ボード１３の下面側に段部をそれぞれ備えた構成としたものである。
【００１８】
１５Ａは前記断熱ボード本体１４，１４を側端面側において連結した連結シート部で、該連結シート部１５Ａは断熱ボード本体１４，１４同士を前記シート１５の延長部で構成されている。そして、前記連結シート部１５Ａを屈曲させることにより断熱ボード１３を折り畳み可能とし、且つ展開可能となるように形成したものである。
【００１９】
つぎに、上記各構成部材により既設の屋根Ａの上に新たな屋根Ｂを葺き替える手順について以下詳細に説明する。まず、既設の屋根Ａの軒先と隅棟に沿ってヌキ材１２Ａと１２Ｂをそれぞれ配置するとゝもに、各ヌキ材１２Ａ，１２Ｂを垂木１或いは野地板３に釘で打ち付けて固定し、既設の屋根材５の端縁における上下方向の暴れを確実に押さえる。
【００２０】
次いで、断熱ボード１３をアコーディオン状に折り畳んだ状態で既設の屋根Ａ上に搬送した後連結シート部１５Ａを介して展開し、これを既設の屋根材５の露出している残余部分の軒先側に該軒先に沿って配置する。詳述すると、断熱ボード１３の下部端面１３Ｂを既設の屋根Ａの軒先に沿って固定した前記ヌキ材１２Ａの上端面と当接せしめ、該断熱ボード１３を位置決めをしながら配置して垂木１或いは野地板３に釘で打ち付けて固定する。このとき、断熱ボード１３の下部端面１３Ｂ側に開口する前記連通孔１６の下部開口部１６Ｂが前記ヌキ材１２Ａの上端面で閉塞されないように、前記ヌキ材１２Ａの高さが前記断熱ボード１３の高さより低く形成されている。
【００２１】
そして、既設の屋根Ａの軒先に沿って固定した最下段の断熱ボード１３の上に第二段の断熱ボード１３を配置し、下段の断熱ボード１３の上部合じゃくり部１８Ａと上段の断熱ボード１３の下部合じゃくり部１８Ｂとを互いに重ね合わせ、連通孔１６の上部開口部１６Ａと下部開口部１６Ｂとを合致させた後、断熱ボード１３を垂木１或いは野地板３に釘で打ち付けて固定する。これにより、既設の屋根材５の全面が各ヌキ材１２Ａ，１２Ｂと複数の断熱ボード１３とにより完全に被覆される。
【００２２】
その後、新たな唐草２６を軒先のヌキ材１２Ａに釘で打ち付けて固定し、既設の唐草６を完全に覆い隠すとゝもに、隅棟の前記ヌキ材１２Ｂに設置した下地木材２８と前記軒先のヌキ材１２Ａ及び断熱ボード１３の上面にルーフィング２４を敷設する。この場合、前記断熱ボード１３の上面に設置したシート１５が非透水特性を有する材料で形成したものにあっては、前記ルーフィング２４の敷設を省略することができる。
【００２３】
最後に、前記ルーフィング２４の上に新たな屋根材２５を葺設した後、屋根材２５の隅棟側に形成した起立部２５Ａ及び前記下地木材２８を新たなケラバ包み２７で覆い隠し、該ケラバ包み２７を前記ヌキ材１２Ｂ及び又は下地木材２８に釘で打ち付けて固定することにより、新たな屋根Ｂの葺き替え作業が完了する。
【００２４】
このような本実施形態の屋根の葺き替え構造によれば、太陽光による輻射熱は前記断熱ボード１３により遮断され、その下部の既設の屋根Ａへの熱伝導が阻止されるとゝもに、断熱ボード１３に形成した連通孔１６内を、軒先側に設置した最下段の断熱ボード１３の下部開口部１６Ｂから最上段の断熱ボード１３の上部開口部１６Ａへ抜ける空気の対流によって、前記輻射熱が屋根Ｂの外に排出される。したがって、前記断熱ボード１３には太陽光による輻射熱が蓄積されることもなく、屋根の内部、ひいては室内の高温化が防止される。
【００２５】
【発明の効果】
本発明に係る屋根の葺き替え構造は上記のような構成であるから、太陽光による輻射熱の大部分が断熱ボードにより遮断されるとゝもに、この輻射熱は前記断熱ボードに形成した連通孔内を通る空気の対流によって屋根の外部に放出されるため輻射熱が断熱ボードに蓄積されることがない。したがって、前記断熱ボードの下部にある既設の屋根に輻射熱が伝達されることがなく、室内の温度が外部環境に左右されることないとゝもに、雨音の遮音効果も一層向上する。また、古くなった既設の屋根の解体作業を省略して葺き替え作業に要する手間と時間を大幅に削減することができる、といった諸効果がある。
【図面の簡単な説明】
【図１】本発明に係る屋根の葺き替え構造の分解斜視図である。
【図２】同葺き替え構造の要部斜視図である。
【図３】図２の縦断面図である。
【図４】図２の横断面図である。
【図５】断熱ボードの接続部分を示す拡大断面図である。
【図６】断熱ボードの全体斜視図である。
【符号の説明】
Ａ　既設の屋根
Ｂ　新設の屋根
１２Ａ，１２Ｂ　ヌキ材
１３　断熱ボード
１３Ａ　上部端面
１３Ｂ　下部端面
１４　断熱ボード本体
１５　シート
１５Ａ　連結シート部
１６　連通孔
１６Ａ　上部開口部
１６Ｂ　下部開口部
１７　凹条溝
１８Ａ　上部合じゃくり部
１８Ｂ　下部合じゃくり部
２４　ルーフィング
２５　新設の屋根材
２５Ａ　起立部
２６　唐草
２７　ケラバ包み
【図１】
2004036314.tif 000003
【図２】
2004036314.tif 000004
【図３】
2004036314.tif 000005
【図４】
2004036314.tif 000006
【図５】
2004036314.tif 000007
【図６】
2004036314.tif 000008